(57)【要約】【課題】磁気シールド装置の特性が低下することを従来よりも抑制できるように、磁気シールド装置を構成する複数の磁性体を相互に接続できるようにする。【解決手段】磁気シールド装置１を構成する複数のシールド板１１、１３を、永久磁石３１、３２、３３を用いて相互に接続する。したがって、接続対象の複数のシールド板１１、１３が相互に接合するような吸引力（磁力）を、接続対象の複数のシールド板１１、１３に発生させることができる。よって、例えば、従来では空隙を狭めることが困難であった接続部分における空隙を低減することができ、磁気シールド装置１を構成する複数のシールド板を相互に接続することにより生じる空隙を従来よりも小さくすることができる。これにより、磁気シールド装置１の特性が低下することを従来よりも抑制できる。【選択図】図３
2009111031.tif 000002
【特許請求の範囲】
【請求項１】
磁界発生源から発生する磁界が外部に漏洩することをシールドするための複数のシールド用磁性体と、
前記複数のシールド用磁性体の少なくとも２つを相互に接続するための磁性体であって、前記シールド用磁性体よりも大きな保磁力を有する接続用磁性体とを有し、
前記接続用磁性体から発生する磁界によって、前記少なくとも２つのシールド用磁性体が相互に接続されるようにしたことを特徴とする磁気シールド装置。
【請求項２】
前記接続用磁性体は、上面に設けられたシールド用磁性体と、周方向の面に設けられたシールド用磁性体との接続と、下面に設けられたシールド用磁性体と、周方向の面に設けられたシールド用磁性体との接続とのうち、少なくとも何れかの接続を行うためのものであることを特徴とする請求項１に記載の磁気シールド装置。
【請求項３】
前記シールド用磁性体は、複数の磁性体の板が積み重ねられて構成されていることを特徴とする請求項１又は２に記載の磁気シールド装置。
【請求項４】
前記接続用磁性体は、その接続用磁性体により接続される２つのシールド用磁性体の間に設けられていることを特徴とする請求項３に記載の磁気シールド装置。
【請求項５】
前記接続用磁性体は、一方のシールド用磁性体の板面に対して、他方のシールド用磁性体の板面が垂直になるように、前記一方及び他方のシールド用磁性体を相互に接続するための２つの接続用磁性体を有し、
前記２つの接続用磁性体は、前記一方及び他方のシールド用磁性体の接続部分において、前記他方のシールド用磁性体を介して対向する位置に設けられていることを特徴とする請求項３に記載の磁気シールド装置。
【請求項６】
前記接続用磁性体は、一方のシールド用磁性体の板面と、他方のシールド用磁性体の板面とが平行になるように、前記一方及び他方のシールド用磁性体を相互に接続するための２つの接続用磁性体を有し、
前記２つの接続用磁性体は、前記一方及び他方のシールド用磁性体の接続部分において、前記一方及び他方のシールド用磁性体を介して対向する位置に設けられていることを特徴とする請求項３に記載の磁気シールド装置。
【請求項７】
前記接続用磁性体は、永久磁石を有することを特徴とする請求項１〜６の何れか１項に記載の磁気シールド装置。
【請求項８】
前記接続用磁性体から発生する磁界に基づく磁束密度Ｂと、前記シールド用磁性体の飽和磁束密度Ｂｓとの関係が、
０＜Ｂ≦０．５Ｂｓ
を満足することを特徴とする請求項１〜７の何れか１項に記載の磁気シールド装置。
【請求項９】
請求項１〜８の何れか１項に記載の磁気シールド装置が備える接続用磁性体を磁化させる着磁手段を有し、
前記接続用磁性体が前記着磁手段により磁化されることによって、少なくとも２つのシールド用磁性体が相互に接続されるようにしたことを特徴とする着磁装置。
【請求項１０】
前記着磁手段は、前記接続用磁性体を磁化するためのコイルであって、その接続用磁性体を囲うようにして設けられたコイルと、
前記コイルにパルス状の電力を供給する電力供給手段とを有することを特徴とする請求項９に記載の着磁装置。
【請求項１１】
請求項１〜８の何れか１項に記載の磁気シールド装置の製造方法であって、
複数のシールド用磁性体の少なくとも２つを相互に接続するための接続用磁性体であって、磁化していない接続用磁性体を取り付ける取り付けステップと、
前記取り付けステップにより取り付けられた接続用磁性体を磁化させる着磁ステップとを有し、
前記着磁ステップにより前記接続用磁性体が磁化されることによって、前記少なくとも２つのシールド用磁性体が相互に接続されるようにしたことを特徴とする磁気シールド装置の製造方法。
【請求項１２】
前記着磁ステップは、前記接続用磁性体を磁化するためのコイルであって、その接続用磁性体を囲うようにして設けられたコイルにパルス状の電力を供給することを特徴とする請求項１１に記載の磁気シールド装置の製造方法。
【発明の詳細な説明】
【技術分野】
【０００１】
本発明は、磁気シールド装置、着磁装置、及び磁気シールド装置の製造方法に関し、特に、磁界をシールドするために用いて好適なものである。
【背景技術】
【０００２】
ＭＲＩ（Magnetic Resonance Imaging）等、例えば１［Ｔ］〜３［Ｔ］程度の強磁場を利用する電子機器は、人体や精密機器に悪影響を与える虞がある。そこで、従来から、そのような電子機器を磁気シールド装置の内部に設置し、電子機器から発生する磁界が磁気シールド装置の外部に漏洩することをシールド（低減）するようにしている。また、磁気シールド装置の近くに大電流が流れていたり、残留磁場のある磁性体があったりする場合には、そこから磁界が発生する。磁気シールド装置を用いれば、このような磁界が磁気シールド装置の内部に進入することを防止することもできる。このような磁気シールド装置は、一般に、磁性体からなるシールド板を相互に接続することにより構成される。そこで、従来は、ボルトを用いてシールド板を相互に接続するようにしていた（特許文献１を参照）。
【０００３】
【特許文献１】特開２００３−１４２８７２号公報
【発明の開示】
【発明が解決しようとする課題】
【０００４】
しかしながら、磁気シールド装置は、数［ｍ］〜１０［ｍ］程度の大きさになるので、機械的にシールド板を接続する前述した従来の方法では、上面及び下面を構成するシールド板と、側面を構成するシールド板とを相互に接続した場合や、長手方向に長い２つのシールド板を長手方向が平行になるように相互に接続した場合に、その接続部分に空隙が生じてしまう。このようにシールド板の接続部分に空隙が生じると、その空隙での磁気抵抗が大きくなり、磁気シールド装置の特性が低下する虞がある。
また、機械的にシールド板を接続する前述した従来の方法では、シールド板の接続部分に機械的な応力が発生し、磁気シールド装置の特性が低下する虞がある。
【０００５】
本発明はこのような問題点に鑑みてなされたものであり、磁気シールド装置の特性が低下することを従来よりも抑制できるように、磁気シールド装置を構成する複数の磁性体を相互に接続できるようにすることを目的とする。
【課題を解決するための手段】
【０００６】
本発明の磁気シールド装置は、磁界発生源から発生する磁界が外部に漏洩することをシールドするための複数のシールド用磁性体と、前記複数のシールド用磁性体の少なくとも２つを相互に接続するための磁性体であって、前記シールド用磁性体よりも大きな保磁力を有する接続用磁性体とを有し、前記接続用磁性体から発生する磁界によって、前記少なくとも２つのシールド用磁性体が相互に接続されるようにしたことを特徴とする。
【０００７】
本発明の着磁装置は、前記磁気シールド装置が備える接続用磁性体を磁化させる着磁手段を有し、前記接続用磁性体が前記着磁手段により磁化されることによって、少なくとも２つのシールド用磁性体が相互に接続されるようにしたことを特徴とする。
【０００８】
本発明の磁気シールド装置の製造方法は、前記磁気シールド装置の製造方法であって、複数のシールド用磁性体の少なくとも２つを相互に接続するための接続用磁性体であって、磁化していない接続用磁性体を取り付ける取り付けステップと、前記取り付けステップにより取り付けられた接続用磁性体を磁化させる着磁ステップとを有し、前記着磁ステップにより前記接続用磁性体が磁化されることによって、前記少なくとも２つのシールド用磁性体が相互に接続されるようにしたことを特徴とする。
【発明の効果】
【０００９】
本発明によれば、シールド用磁性体よりも大きな保磁力を有する接続用磁性体から発生する磁界の作用を用いて、複数のシールド用磁性体を接続するようにした。したがって、それら複数のシールド用磁性体が相互に接合するような吸引力（磁力）を、それら複数のシールド用磁性体に発生させることができる。よって、複数のシールド用磁性体の接続部分に生じる空隙を従来よりも小さくすることができる。また、複数のシールド用磁性体を、磁力を用いて相互に接続するので、接続の際に生じる機械的な応力を低減することができる。以上のことから、磁気シールド装置の磁気シールド特性が低下することを従来よりも抑制することができる。
【発明を実施するための最良の形態】
【００１０】
（第１の実施形態）
以下、図面を参照しながら、本発明の第１の実施形態を説明する。
図１は、磁気シールド装置の概略構成の一例を示す図である。図１に示す磁気シールド装置１は、幅が約３［ｍ］、奥行きが約４［ｍ］、高さが約１７［ｍ］の大きさを有している。
図１に示すように、磁気シールド装置１の内部には、ＭＲＩ１７が設置される。
また、本実施形態では、磁気シールド装置１は、前面、上面、後面、及び底面で構成される面に沿って、相対的に内側に配設された内側シールド部１５と、前面、左側面、後面、及び右側面で構成される面に沿って、相対的に外側に配設された外側シールド部１４とを備える。
【００１１】
具体的に、内側シールド部１５は、前面、上面、後面、及び底面で構成される面の周方向と平行になるように長手方向が配設された複数のシールド板群を有している。これら複数のシールド板群は、所定の間隔で、前面、上面、後面、及び底面で構成される面の幅方向に並設されている。一方、外側シールド部７４は、前面、左側面、後面、及び右側面で構成される面の周方向と平行になるように長手方向が配設された複数のシールド板群を有している。これら複数のシールド板群は、所定の間隔で、前面、左側面、後面、及び右側面で構成される面の幅方向に並設されている。
【００１２】
図２は、磁気シールド装置１のガントリー面（外部シールド部１４が設けられている面）からの距離と、磁束密度との関係を、電磁場解析により求めた結果の一例を示す図である。尚、磁気シールド装置１のガントリー面からの距離とは、磁気シールド装置１のガントリー面上の点であって、ＭＲＩ１７が備える励磁コイルの中心と正対する点から、磁気シールド装置１の外側に向けて延びる垂線上の任意の点までの距離である。
【００１３】
図２において、グラフ２１は、内側シールド部１５の上面を構成するシールド板と、前面及び後面を構成するシールド板との接続（接合）部分に１［ｍｍ］の空隙があるとして電磁場解析を行った結果から得られたグラフである。一方、グラフ２２は、その接続部分に空隙がないとして電磁場解析を行った結果から得られたグラフである。
尚、内側シールド部１５の上面を構成するシールド板と、前面及び後面を構成するシールド板との接続部分の空隙の有無に着目しているのは、内側シールド部１５の自重により、その接続部分に空隙が生じやすいからである。
【００１４】
図２に示すように、磁気シールド装置１を構成するシールド板の接続部分に僅かな空隙があった場合でも、磁気シールド装置１の外部に漏洩する磁界は、空隙がない場合に比べて、数倍大きくなることが分かる。このように、本願発明者らは、磁気シールド装置１を構成するシールド板の空隙を出来るだけ０（ゼロ）に近づけなれければ、高い磁気シールド性能を磁気シールド装置１に持たせることが困難であるという知見を得た。そこで、本願発明者らは、従来のボルトを用いた接続方法とは全く異なる方法で、複数のシールド板を相互に接続（接合）することにより、磁気シールド装置１の磁気シールド特性が低下することを従来よりも抑制できることを見出した。以下に、シールド板の接続方法を説明する。
【００１５】
図３は、磁気シールド装置１におけるシールド板の接続方法の一例を示す図である。尚、図３では、シールド板が、２０枚の磁性体の板を積み重ねることにより構成されたものである場合を例に挙げて示している。
図３に示すように、本実施形態では、２つのシールド板を相互に接続する接続部分に永久磁石を取り付け、この永久磁石から発生する磁界の作用によって、２つのシールド板を相互に接続するようにしている。
具体的に図３（ａ）及び図３（ｂ）は、２つのシールド板の接続部分の形状がＴ字状になる領域における接続方法の一例を示している。
【００１６】
図３（ａ）では、シールド板１１と、シールド板１３との接続部分において、それらの間に永久磁石３１を取り付ける。そして、このようにして取り付けられた永久磁石３１を介して、２つのシールド板１１、１３が相互に接続されるようにしている。図３（ａ）に示す例では、シールド板１１側の面がＮ極、シールド板１３側の面がＳ極となるように、永久磁石３１を磁化させる。このようにすることによって、それら２つのシールド板１１、１３が相互に引き付け合う力が、それら２つのシールド板１１、１３の接続部分に発生する。
更に、図３（ａ）に示す例では、永久磁石３１から発生する磁界に基づく磁束密度Ｂと、シールド板１１、１３の飽和磁束密度Ｂｓとの関係が、以下の（１）式を満足するように、永久磁石３１を磁化させるようにしている。
０＜Ｂ≦０．５Ｂｓ  ・・・（１）
このようにすれば、永久磁石３１から発生する磁界によって、磁気シールド装置１における磁気シールド性能が低下するのを確実に防止することができる。
【００１７】
尚、図３（ａ）では、シールド板１１、１３の間に永久磁石３１を取り付ける場合を例に挙げて説明したが、必ずしもこのようにする必要はない。すなわち、一方のシールド板の板面に対して、他方のシールド板の板面が垂直になるように、２つのシールド板を相互に接続する（例えば、２つのシールド板をＴ字状又はＬ字状に相互に接続する）場合に、その接続部分において一方のシールド板と他方のシールド板との間に永久磁石３１を取り付けるようにしていれば、どのようにしてシールド板を取り付けてもよい。
【００１８】
図３（ｂ）では、シールド板１３と、シールド板１１との接続部分において、シールド板１３を両側から挟むように２つの永久磁石３２、３３を取り付ける。そして、このようにして取り付けられた永久磁石３２、３３から発生する磁界の作用により、シールド板１１、１３が相互に接続されるようにしている。図３（ｂ）に示す例では、シールド板１１側の面がＮ極、反対側の面がＳ極となるように、永久磁石３２、３３を磁化させることによって、永久磁石３２、３３から発生する磁界が、接続対象の２つのシールド板１１、１３の内部を通る閉磁路を形成するようにし、それら２つのシールド板１１、１３が相互に引き付け合う力が、それら２つのシールド板１１、１３の接続部分に発生するようにしている。
また、図３（ｂ）に示す例でも、永久磁石３２、３３から発生する磁界に基づく磁束密度Ｂと、シールド板１１、１３の飽和磁束密度Ｂｓとの関係が、前記（１）式を満足するように、永久磁石３２、３３を磁化させるようにしている。
【００１９】
尚、図３（ｂ）では、シールド板１３を両側から挟むように２つの永久磁石３２、３３を取り付ける場合を例に挙げて説明したが、必ずしもこのようにする必要はない。すなわち、一方のシールド板の板面に対して、他方のシールド板の板面が垂直になるように、２つのシールド板を相互に接続する場合に、その接続部分において、他方のシールド板を介して相互に対向するように、２つの永久磁石３２、３３を取り付けるようにしていれば、どのようにしてシールド板を取り付けてもよい。
【００２０】
また、図３（ｃ）及び図３（ｄ）は、２つのシールド板の接続部分の形状が直線状になる領域における接続方法の一例を示している。
図３（ｃ）では、２つのシールド板１６ａ、１６ｂの接続部分において、それらの間に永久磁石３４を取り付ける。そして、このようにして取り付けられた永久磁石３４を介して、２つのシールド板１６ａ、１６ｂが相互に接続されるようにしている。図３（ｃ）に示す例では、永久磁石３４のシールド板１６ａ側の面がＮ極、シールド板１６ｂ側の面がＳ極となるように、永久磁石３４を磁化させることによって、それら２つのシールド板１６ａ、１６ｂが相互に引き付け合う力が、それら２つのシールド板１６ａ、１６ｂの接続部分に発生するようにしている。
また、図３（ｃ）に示す例でも、永久磁石３４から発生する磁界に基づく磁束密度Ｂと、シールド板１６ａ、１６ｂの飽和磁束密度Ｂｓとの関係が、前記（１）式を満足するように、永久磁石３４を磁化させるようにしている。
【００２１】
尚、図３（ｃ）では、シールド板１６ａ、１６ｂの間に永久磁石３４を取り付ける場合を例に挙げて説明したが、必ずしもこのようにする必要はない。すなわち、一方のシールド板の板面と、他方のシールド板の板面とが、同じ高さ位置で相互に平行になるように、それら２つのシールド板を相互に接続する場合に、その接続部分において一方のシールド板と他方のシールド板との間に永久磁石３４を取り付けるようにしていれば、どのようにしてシールド板を取り付けてもよい。
【００２２】
図３（ｄ）では、２つのシールド板１６ａ、１６ｂの接続部分において、それらの接続部分を両側から挟むように２つの永久磁石３５、３６を取り付ける。そして、このようにして取り付けられた永久磁石３５、３６から発生する磁界の作用により、シールド板１６ａ、１６ｂが相互に接続されるようにしている。図３（ｄ）に示す例では、永久磁石３５のシールド板１６ａ側の面がＮ極、シールド板１６ｂ側の面がＳ極になるように、永久磁石３５を構成（磁化）すると共に、永久磁石３６のシールド板１６ｂ側の面がＮ極、シールド板１６ａ側の面がＳ極になるように、永久磁石３６を磁化させることによって、接続対象の２つのシールド板１６ａ、１６ｂの内部を通る閉磁路を形成するようにし、それら２つのシールド板１６ａ、１６ｂが相互に引き付け合う力が、それら２つのシールド板１６ａ、１６ｂの接続部分に発生するようにしている。
また、図３（ｄ）に示す例でも、永久磁石３５、３６から発生する磁界に基づく磁束密度Ｂと、シールド板１６ａ、１６ｂの飽和磁束密度Ｂｓとの関係が、前記（１）式を満足するように、永久磁石３５、３６を磁化させるようにしている。
【００２３】
以上のように本実施形態では、磁気シールド装置１を構成する複数の磁性体（シールド板）を、永久磁石を用いて相互に接続するようにした。したがって、接続対象の複数の磁性体（シールド板）が相互に接合するような吸引力（磁力）を、接続対象の複数の磁性体（シールド板）に発生させることができる。よって、例えば、従来では空隙を狭めることが困難であった接続部分における空隙を低減することができ、磁気シールド装置１を構成する複数の磁性体（シールド板）を相互に接続することにより生じる空隙を従来よりも小さくすることができる。また、複数の磁性体（シールド板）を、磁力を用いて相互に接続するので、接続の際に生じる機械的な応力を低減することができる。以上のことから、磁気シールド装置１の磁気シールド特性が低下することを従来よりも抑制することができる。
【００２４】
また、永久磁石を用いるようにしているので、穴を開ける等して、磁気シールド装置１を構成する複数の磁性体（シールド板）を加工する必要がなくなる。更に、永久磁石を消磁することにより、磁気シールド装置１を容易に分解することができる。
【００２５】
尚、複数のシールド板を接続する方法は、図３に示すものに限定されない。図４は、シールド板の接続方法の他の一例を示す図である。
図４（ａ）、図４（ｂ）に示すように、永久磁石４１〜４４を、図３（ｂ）、図３（ｄ）に示した永久磁石３２、３３、３５、３６と逆向きに磁化させるようにしてもよい。すなわち、永久磁石から発生する磁界によって、接続対象の複数のシールド板の内部を通る閉磁路が形成されるようにしていれば（接続対象の複数のシールド板の接続部分に吸引力が発生するようにしていれば）、永久磁石を磁化する方向は、図３に示したものに限定されない。
【００２６】
また、図４（ｃ）に示すように、例えば、２つのシールド板１６ａ、１６ｂの板面が相互に平行になるように、それら２つのシールド板１６ａ、１６ｂの板面同士を相互に接続することもできる。このようにする場合には、例えば、それら２つのシールド板１６ａ、１６ｂの接続部分において、それら２つのシールド板１６ａ、１６ｂを両側から挟むように２つの永久磁石４５、４６を取り付け、取り付けた永久磁石４５、４６から発生する磁界の作用により、シールド板１６ａ、１６ｂが相互に接続されるようにすることができる。
【００２７】
更に、図４（ｄ）に示すように、例えば、先端部分（接続部分）の厚さを、その他の部分の厚さの０．５倍にした２つのシールド板１８ａ、１８ｂを用意する。そして、それら２つのシールド板１８ａ、１８ｂの板面が同じ高さ位置で相互に平行になるように、それら２つのシールド板１８ａ、１８ｂの先端部分同士を相互に接続することもできる。このようにする場合にも、例えば、それら２つのシールド板１８ａ、１８ｂの接続部分において、それら２つのシールド板１８ａ、１８ｂを両側から挟むように２つの永久磁石４７、４８を取り付け、取り付けた永久磁石４７、４８から発生する磁界の作用により、シールド板１８ａ、１８ｂが相互に接続されるようにすることができる。
以上のように、永久磁石から発生する磁界を用いて複数の磁性体（シールド板）を接続していれば、接続対象の磁性体（シールド板）の形状や、永久磁石の個数や配設位置等は、図３に示したものに限定されない。また、相互に接続する磁性体（シールド板）の数は２つに限定されず、３つ以上であってもよい。
尚、図３、図４に示す例では、シールド板１１、１３、１６、１８によりシールド用磁性体が構成され、永久磁石３１〜３６、４１〜４８により接続用磁性体が構成される。
【００２８】
また、本実施形態のように、永久磁石から発生する磁界に基づく磁束密度Ｂと、接続対象の磁性体（シールド板）の飽和磁束密度Ｂｓとの関係が、前記（１）式の関係を満たすようにすれば、永久磁石から発生する磁界によって磁気シールド装置１における磁気シールド性能が低下するのを確実に防止することができ好ましいが、必ずしも前記（１）式の関係を満たすようにする必要はない。例えば、永久磁石から発生する磁界に基づく磁束密度Ｂと、接続対象の磁性体（シールド板）の飽和磁束密度Ｂｓとの関係が、以下の（２）式を満足するようにしてもよい。
０＜Ｂ≦０．７Ｂｓ  ・・・（２）
また、永久磁石から発生する磁界に基づく磁束密度Ｂと、接続対象の磁性体（シールド板）の飽和磁束密度Ｂｓとの関係が、以下の（３）式を満足するようにすれば、より好ましい。
０．１Ｂｓ＜Ｂ≦０．５Ｂｓ  ・・・（３）
【００２９】
また、本実施形態のように永久磁石を用いた場合、一度着磁（磁化）すれば、外部から励磁する必要がない。このため、安定した吸引力を接続対象の複数の磁性体（シールド板）に付与することができる。しかしながら、接続対象の磁性体よりも保磁力が大きな磁性体を用いていれば、必ずしも永久磁石を用いる必要はない。例えば、常時電流を流して外部から励磁する必要はあるが、電磁石を永久磁石の代わりに用いてもよい。
【００３０】
また、磁気シールド装置１を構成する磁性体（シールド板）の全ての接続部分を、永久磁石を用いて接続する必要はなく、磁気シールド装置１を構成する磁性体（シールド板）の接続部分のうち、少なくとも１つを、永久磁石を用いて接続していればよい。この場合、少なくとも従来の方法（ボルトを用いて接続する方法）では空隙を低減させることが困難な箇所（例えば、シールド板１１とシールド板群１３、１４を構成するシールド板との接続部分）を、永久磁石を用いて接続するのが好ましい。
【００３１】
また、本実施形態では、開放型と密閉型とのハイブリッド型の磁気シールド装置を例に挙げて説明したが、磁性体（シールド板）を相互に接続して構成される磁気シールド装置であれば、どのような磁気シールド装置にも、本実施形態で説明した手法を適用することができる。例えば、上面及び下面のシールド板１１、１２を設けない開放型の磁気シールド装置に、本実施形態で説明した手法を適用してもよい。また、上面、下面、前面、後面、及び両側面をシールド板で覆った密閉型の磁気シールド装置に、本実施形態で説明した手法を適用してもよい。
【００３２】
（第２の実施形態）
次に、本発明の第２の実施形態について説明する。本実施形態では、磁化（着磁）していない永久磁石を接続部分に置いて位置決めを行ってから、その永久磁石を磁化（着磁）させる場合を例に挙げて説明する。
図５は、永久磁石を磁化する方法の一例を説明する図である。尚、図５では、図３（ｂ）に示したように、シールド板１１と、シールド板１３とを接続する場合を例に挙げて示している。
図５（ａ）に示すように、着磁していない永久磁石５１ａ、５１ｂに対して着磁を行うための着磁装置は、直流電源Ｖ、スイッチＳ１、Ｓ２、及びコンデンサＣを備えた電力供給回路と、着磁コイル５３とを有している。
図５に示すように、本実施形態では、直流電源Ｖの正極とスイッチＳ１の一端とが相互に接続され、スイッチＳ１の他端とコンデンサＣの一端及びスイッチＳ２の一端とが相互に接続される。また、スイッチＳ２の他端と着磁コイル５３の一端とが相互に接続され、着磁コイル５３の他端とコンデンサＣの他端及び直流電源Ｖの負極とが相互に接続される。着磁コイル５３は、例えば、着磁対象の永久磁石５１ａ、５２ａを囲う位置（着磁対象の永久磁石５１ａ、５２ａの外周部）に設置される。
【００３３】
このような構成の着磁装置において、まず、スイッチＳ２を開いた状態でスイッチＳ１を閉じてコンデンサＣを充電させる。そして、スイッチＳ１を開くと共にスイッチＳ２を閉じて、コンデンサＣに充電させた電荷を放電させる。このような動作を繰り返し行うことにより、着磁コイル５３にパルス状の電力を供給する（パルス状の電流を流す）。その後、着磁装置を取り外す。
以上のようにすることにより、永久磁石５１ａ、５２ａが磁化され、例えば、図５（ｂ）に示したようにして磁化された永久磁石５１ｂ、５２ｂが形成される。そして、この永久磁石５１ｂ、５２ｂから発生する磁界の作用によりシールド板１１、１３が相互に接続される。
【００３４】
以上のように本実施形態では、磁化（着磁）していない永久磁石を接続部分に取り付けて位置決めを行ってから、その永久磁石を磁化（着磁）させるようにした。したがって、磁化（着磁）した状態の永久磁石を取り付けるよりも、磁気シールド装置１の施工を容易に行うことができる。例えば、永久磁石とシールド板との位置決めを容易に行うことができる。
また、本実施形態では、パルス状の電流を着磁コイルに付与するようにしたので、より効率よく永久磁石を磁化することができる。
【００３５】
尚、本実施形態では、図３（ｂ）に示したようにして複数の磁性体（シールド板）を接続する場合を例に挙げて説明したが、その他のようにして複数の磁性体（シールド板）を接続する場合にも、磁化していない永久磁石と接続対象のシールド板との位置決めを行ってから、その永久磁石を磁化させることができるということは勿論である。
また、本実施形態においても、前述した第１の実施形態における種々の変形例を採ることができる。
【００３６】
尚、前述した各実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００３７】
【図１】本発明の第１の実施形態を示し、磁気シールド装置の概略構成の一例を示す図である。
【図２】本発明の第１の実施形態を示し、磁気シールド装置のガントリー面からの距離と、磁束密度との関係を、電磁場解析により求めた結果の一例を示す図である。
【図３】本発明の第１の実施形態を示し、シールド板の接続方法の一例を示す図である。
【図４】本発明の第１の実施形態を示し、シールド板の接続方法の他の一例を示す図である。
【図５】本発明の第２の実施形態を示し、永久磁石に対して着磁を行う方法の一例を説明する図である。
【符号の説明】
【００３８】
１  磁気シールド装置
１１、１３、１６、１８  シールド板
１４  外側シールド部
１５  内側シールド部
１７  ＭＲＩ
３１〜３６、４１〜４８  永久磁石
５３  着磁コイル
【図１】
2009111031.tif 000003
【図２】
2009111031.tif 000004
【図３】
2009111031.tif 000005
【図４】
2009111031.tif 000006
【図５】
2009111031.tif 000007